(57)【特許請求の範囲】
【請求項１】
複数の電線を束ねた電線束の端末を揃えるための電線束端末揃え装置であって、
上記電線束の端末に当接可能な揃え板と、
揃え板を振動可能に担持する担持体と、
担持された揃え板を振動させる駆動手段と
を備えていることを特徴とする電線束端末揃え装置。
【請求項２】
請求項１記載の電線束端末揃え装置において、
上記揃え板の周囲に設けられ、揃え板に当接している電線束の端末部分を覆う筒体をさらに備えている電線束端末揃え装置。
【発明の詳細な説明】
【０００１】
【発明の属する技術分野】
本発明は電線束端末揃え装置に関する。
【０００２】
【従来の技術】
一般にワイヤハーネスやワイヤハーネスを構成するサブアッセンブリ（以下「ワイヤアッセンブリ」と総称する）を製造するに当たり、電線を調尺して裁断し、両端に端子を圧着した端子付調尺電線を多数製造する必要がある。そのような端子付調尺電線においては、それらを束ねて仮止めしたり、或いはそれらの途中部に中間皮剥ぎ加工を施すことが多い。
【０００３】
そこで、後行程における端子付調尺電線の加工を容易にするために、製造された端子付調尺電線を束ね、作業者がその端末を揃えていた。この端末を揃える作業としては、片方の手で束ねられた電線を把持し、他方の手で卓球のラケットのような形態をしたへら状の揃え工具を把持して、電線の端末をたたいて電線の端末を揃えていた。
【０００４】
【発明が解決しようとする課題】
しかしながら、一度に束ねられる端子付調尺電線の本数が多いと、各端子付調尺電線相互間に作用する摩擦抵抗が大きくなるので、へら状の揃え工具で端末部分をたたいているだけではなかなかすべての電線を揃えることができず、作業に時間がかかり習熟を要していた。
【０００５】
本発明は上記不具合に鑑みてなされたものであり、誰でも簡単に束ねられた電線の端末を揃えることのできる電線束端末揃え装置を提供することを課題としている。
【０００６】
【課題を解決するための手段】
上記課題を解決するために本発明は、
複数の電線を束ねた電線束の端末を揃えるための電線束端末揃え装置であって、
上記電線束の端末に当接可能な揃え板と、
揃え板を振動可能に担持する担持体と、
担持された揃え板を振動させる駆動手段と
を備えていることを特徴とする電線束端末揃え装置である。
【０００７】
この特定事項を含む発明では、駆動手段によって揃え板を振動させることにより、揃え板は、担持体に担持された状態で振動する。そして、振動している揃え板に電線束の端末を押しつけることにより、当該電線束を構成している各電線の端末には揃え板の振動が伝達され、各電線相互間の摩擦抵抗が低減される。従って、揃え板に対して端末を押しつけているときの押しつけ力によって、電線束を構成している各電線の端末は速やかに全体的に揃え板に押しつけられ、同一突出長さに揃えられる。ここで「電線」は主として端子付調尺電線であるが、比較的大径硬質の電線であっても適用が可能であり、必ずしも端子が圧着されたものである必要はない。
【０００８】
好ましい態様においては、上記揃え板の周囲に設けられ、揃え板に当接している電線束の端末部分を覆う筒体をさらに備えている。
この特定事項を含む発明では、揃え板から電線束の端末に振動が伝播しているときに、電線束の端末部分が振動によって揃え板から外れるのを阻止することになる。
【０００９】
【発明の実施の形態】
以下、添付図面を参照しながら、本発明の好ましい実施の形態について詳述する。
図１は本発明の実施の一形態における電線束端末揃え装置１０の斜視図である。
【００１０】
同図を参照して、図示の実施の形態における電線束端末揃え装置１０は、所定の載置部（例えば作業台）に載置されるベース１１と、ベース１１に立設された筒状のハウジング１２と、ハウジング１２の内部に収容されている電磁コイル１３と、電磁コイル１３の上部を覆った状態でハウジング１２の上端部に印籠嵌合しているカバー１４とを備えており、カバー１４の上部に突設された筒体１５の底部には、揃え板としての振動板１６が取り付けられている。
【００１１】
上記ハウジング１２およびカバー１４の外周部には、弦線方向と径方向との端面を含む切欠１７が周方向に等配されており、各切欠１７の径方向に沿う端面１７ａには、所定の弾性を有する金属製のストラッププレート１８がそれぞれ配設され、一方の端末がビス１９でハウジング１２に取り付けられているとともに、他方の端末がビス２０によってカバー１４に取り付けられている。これにより、カバー１４は、ストラッププレート１８の弾性によって許容される範囲内において、振動可能にハウジング１２を覆っている。
【００１２】
上記電磁コイル１３は、図示の実施の形態における振動手段を構成するものであり、この電磁コイル１３に交流電圧を印可することにより、電磁コイル１３が鋼材で形成された振動板１６の下面を周期的に吸引して駆動し、振動板１６を振動させることができるようになっている。このような振動板１６の振動構造は、例えば、パーツフィーダに採用されている振動機構を用いることにより、容易に実現することが可能である。また、このような電磁コイルによる機構に代えて、近年主流になっている圧電素子を用いたいわゆるエピゾダイプのものを採用してもよい。
【００１３】
次に、この電線束端末揃え装置１０を用いた電線束ＷＢの揃え作業について説明する。
以上の構成では、作業者は、複数の電線Ｗが束ねられた電線束ＷＢを一方の手Ｈで把持してその端末ＷＥを振動板１６に臨ませる。そして、この一方の手Ｈで電線束ＷＢをガイドした状態で、他方の手（図示せず）で電線束ＷＢを振動板１６に対し矢印Ａで示す方向に押しつけることにより、電線束ＷＢを構成する各電線Ｗの端末ＷＥ（図示の例では、各電線Ｗに圧着された端子Ｔ）には、振動板１６の振動が伝播する。この振動の伝播により、各電線Ｗ、Ｗ相互間に作用している摩擦抵抗が低減され、上記他方の手による矢印Ａ方向の押しつけ力は、均等に各電線Ｗに作用する。
【００１４】
この結果、各電線Ｗは、速やかに振動板１６に押しつけられ、位置決めされることによって揃えられる。
以上説明した実施の形態によれば、電線束ＷＢを構成している各電線Ｗ、Ｗの摩擦抵抗が振動板（揃え板）１６の振動によって低減された状態で、当該電線束ＷＢの端末が振動板１６に揃えられるので、誰でも容易且つ迅速に電線束ＷＢの揃え作業を行うことができるという顕著な効果を奏する。
【００１５】
また、図示の実施の形態では、振動板１６の周囲に筒体１５が設けられているので、筒体１５によって振動板１６から電線束ＷＢの端末部分が離脱するのを防止でき、手作業で電線束ＷＢを揃える際にも、作業性が向上する。
上述した実施の形態は本発明の好ましい具体例を例示したものに過ぎず、本発明は上述した実施の形態に限定されない。本発明の特許請求の範囲内で種々の設計変更が可能であることはいうまでもない。
【００１６】
【発明の効果】
以上説明したように、本発明によれば、電線束の端末が揃え板に押しつけられているときに電線束を構成している各電線相互間の摩擦抵抗が揃え板の振動によって低減されるので、誰でも容易且つ迅速に電線束の揃え作業を行うことができるという顕著な効果を奏する。
【図面の簡単な説明】
【図１】本発明の実施の一形態における電線束端末揃え装置の斜視図である。
【符号の説明】
１０    電線束端末揃え装置
１３    電磁コイル（振動手段）
１５    筒体
１８    振動板（揃え板）
【図１】
0003552901.tif 000002